(57)【特許請求の範囲】
【請求項１】
互いに対向する一対のガイド部が軸方向に延在するパネル筒体の内部に、熱媒体が通過する樹脂製のＵ字状配管を収容する際に用いる輻射パネル装置製造用の管挿入治具であって、
前記パネル筒体の一方の端部に対向した状態で設置される治具本体を備え、
前記治具本体には、前記一対のガイド部間に向けて前記Ｕ字状配管の挿入を案内するガイド孔が形成されており、
前記ガイド孔は、前記一対のガイド部間の間隔よりも狭い幅を有して設けられていることを特徴とする管挿入治具。
【請求項２】
前記治具本体を前記パネル筒体に仮止めする仮止め部を更に備えることを特徴とする請求項１記載の管挿入治具。
【請求項３】
前記治具本体には複数の前記ガイド孔が設けられ、
複数の前記ガイド孔は、並設された複数の前記パネル筒体を備えた前記輻射パネル装置の前記複数のパネル筒体に対応する位置に設けられていることを特徴とする請求項１または２記載の管挿入治具。
【請求項４】
前記治具本体は木材により形成されていることを特徴とする請求項１〜３のいずれか一項記載の管挿入治具。
【請求項５】
互いに対向する一対のガイド部が軸方向に延在するパネル筒体と、前記パネル筒体の内部に収容され、且つ熱媒体が通過する樹脂製のＵ字状配管とを備えた輻射パネル装置の製造方法であって、
管挿入治具の治具本体には、前記一対のガイド部間に向けて前記Ｕ字状配管の挿入を案内するガイド孔が形成されており、前記ガイド孔は、前記一対のガイド部間の間隔よりも狭い幅を有して設けられており、
前記治具本体を、前記パネル筒体の一方の端部に対向した状態で設置する設置工程と、
前記設置工程によって所定位置に設置された前記治具本体の前記ガイド孔から前記Ｕ字状配管を挿入して前記パネル筒体の内部に前記Ｕ字状配管を収容する配管挿入工程と、を備えることを特徴とする輻射パネル装置の製造方法。
【発明の詳細な説明】
【技術分野】
【０００１】
本発明は、放射暖房や放射冷房を行う輻射パネル装置のパネル筒体の内部に熱媒体が通過するＵ字状配管を収容する際に用いる管挿入治具に関する。
【背景技術】
【０００２】
従来、輻射パネル装置として、内部に熱媒体を流通させる流路を有する複数のパネルが並設されたものが知られている。この輻射パネル装置では、複数のパネルと別途設置される熱源との間で熱媒体を循環させることによって各パネルに輻射機能を持たせ、これらのパネルによる輻射暖房及び輻射冷房によって居室などの空調を行う。例えば、特許文献１に記載された輻射パネル装置は、中空のパネル筒体の内部に熱媒体流通路となるＵ字配管を配設し、当該熱媒体流通路と熱源との間で熱媒体を循環させることによって、各パネルに熱輻射機能を持たせることができる技術が開示されている。この種のパネル筒体は、通常、強度確保の観点や製造コストの観点から所定の長さに切断した金属製の押出し成形品からなる。
【先行技術文献】
【特許文献】
【０００３】
【特許文献１】特開２００９−２２８９５９号公報
【発明の概要】
【発明が解決しようとする課題】
【０００４】
しかしながら、上述の如く押出し成形品からなるパネル筒体は、端面が切断面であるためにエッジが立ってしまっている。配管は、パネル筒体の一方の端部から挿入されるが、挿入の際に配管が切断面に接触し易いため、エッジが立っていると、挿入する際に配管の長手方向に亘って傷が入ってしまうことが考えられる。
【０００５】
本発明は、以上の課題を解決することを目的としており、パネル筒体の端部からＵ字状配管を挿入する際に、パネル筒体の端部のエッジでＵ字状配管が傷つかないようにするための管挿入治具を提供することを目的とする。
【課題を解決するための手段】
【０００６】
本発明は、互いに対向する一対のガイド部が軸方向に延在するパネル筒体の内部に、熱媒体が通過する樹脂製のＵ字状配管を収容する際に用いる輻射パネル装置製造用の管挿入治具であって、パネル筒体の一方の端部に対向した状態で設置される治具本体を備え、治具本体には、一対のガイド部間に向けてＵ字状配管の挿入を案内するガイド孔が形成されており、ガイド孔は、一対のガイド部間の間隔よりも狭い幅を有して開設されていることを特徴とする。
【０００７】
管挿入治具の治具本体は、パネル筒体の一方の端部に対向した状態で設置される。治具本体にはガイド孔が形成されており、Ｕ字状配管は、ガイド孔を通され、パネル筒体の一対のガイド部間に挿入されるが、ここで、ガイド孔は、一対のガイド部間の間隔よりも狭い幅を有する。従って、Ｕ字状配管は、ガイド孔挿通後、少なくともパネル筒体の端部を通過する際には治具本体の干渉によって広がりが抑えられる。つまり、Ｕ字状配管は、パネル筒体のガイド部の端部近傍では、対向する管路部同士の広がり幅は一対のガイド部間の間隔よりも小さくなり、ガイド部に当接することがない。その結果、ガイド部の端部においてエッジが立っていたとしても、そのエッジにＵ字状配管が接触することがなくなり、Ｕ字状配管を傷つけずにパネル筒体の内部に収納でき、Ｕ字状配管、さらには輻射パネル装置の耐久性の向上に有効である。
【０００８】
さらに、本発明に係る管挿入治具は、治具本体をパネル筒体に仮止めする仮止め部を備えると好適である。この構成では、パネル筒体に治具本体を仮止めできるため、パネル筒体に対して治具本体を安定させた状態でＵ字状配管を挿入できる。
【０００９】
さらに、治具本体には複数のガイド孔が設けられ、複数のガイド孔は、並設された複数のパネル筒体を備えた輻射パネル装置の複数のパネル筒体に対応する位置に設けられていると好適である。この構成によれば、単一の管挿入治具により、複数のパネル筒体に連続的に、または同時にＵ字状配管を傷つけることなく挿入することができる。
【００１０】
さらに、治具本体が木材により形成されていると好適である。この構成によれば、樹脂製のＵ字状配管に対して、鉄などの金属に比べて治具本体が極端に硬いものとはならないので、Ｕ字状配管を挿入する際に治具本体に強い押圧力等を付与しながら接触することになっても、Ｕ字状配管に傷が入ってしまうことを抑制できる。
【００１１】
また、本発明は、互いに対向する一対のガイド部が軸方向に延在するパネル筒体と、パネル筒体の内部に収容され、且つ熱媒体が通過する樹脂製のＵ字状配管とを備えた輻射パネル装置の製造方法であって、管挿入治具の治具本体には、一対のガイド部間に向けてＵ字状配管の挿入を案内するガイド孔が形成されており、ガイド孔は、一対のガイド部間の間隔よりも狭い幅を有して開設されており、治具本体を、パネル筒体の一方の端部に対向した状態で設置する治具設置工程と、治具設置工程によって所定位置に設置された治具本体のガイド孔からＵ字状配管を挿入してパネル筒体の内部にＵ字状配管を収容する配管挿入工程と、を備えることを特徴とする。本発明によれば、パネル筒体の端部においてガイド部にエッジが立っていたとしても、そのエッジに接触することがなくなり、Ｕ字状配管を傷つけずにパネル筒体の内部に収納できる。その結果、Ｕ字状配管、さらには輻射パネル装置の耐久性の向上に有効である。
【発明の効果】
【００１２】
本発明によれば、パネル筒体の端部からＵ字状配管を挿入する際に、パネル筒体の端部のエッジでＵ字状配管が傷つかないようにすることができる。
【図面の簡単な説明】
【００１３】
【図１】輻射パネル装置の一例を示す斜視図である。
【図２】輻射パネル装置のパネル筒体の上端部を拡大して示す斜視図である。
【図３】パネル筒体にＵ字状配管が挿入された状態を示し、パネル筒体の下部を破断して示す断面図である。
【図４】管挿入治具の平面図である。
【図５】管挿入治具のガイド孔を拡大して示す平面図である。
【図６】管挿入治具をパネル筒体に設置する工程を示す斜視図である。
【図７】管挿入治具を介してＵ字状配管をパネル筒体内に挿入する工程を示す斜視図である。
【発明を実施するための形態】
【００１４】
以下、本発明の好適な実施形態について図面を参照しながら説明する。最初に、本施形態に係る管挿入治具１を用いて製造された輻射パネル装置３０の一例について説明する。
【００１５】
図１に示されるように、輻射パネル装置３０は、水などの熱媒体を循環させて室内の冷暖房を行う冷暖房装置５０に組み込まれている。輻射パネル装置３０は、例えば、室内の一角に設置したもので、複数のパネルユニット３１を有し、それらが等間隔に整列し、列の両脇には支柱となる端部パネル体３２が立設されている。端部パネル体３２は、床から天井まで届く長さを有している。
【００１６】
パネルユニット３１、及び端部パネル体３２の上端は天井に埋設されたブリッジ部３３に直接固定されている。端部パネル体３２の下端はＬ字形のブラケットにより床に固定されている。また、隣接する各パネルユニット３１同士、及びパネルユニット３１と端部パネル体３２とは、連結部材３４により互いに連結されている。さらに、各パネルユニット３１の下方には、上方が開放された溝状の結露受け３５が設けられており、結露受け３５は排水口に連通している。結露受け３５は、パネルユニット３１の表面に発生する結露水を受け止め、溝の底部に設けた排水口より床下に排水する。
【００１７】
パネルユニット３１は、パネル筒体３７と、パネル筒体３７の内部に収容されたＵ字状配管３９とを備えている。Ｕ字状配管３９はブリッジ部３３上に配置されたヘッダ管（図示省略）で合流し、さらに、熱媒体循環用の管路を介して熱媒体の循環装置や熱交換装置に接続されている。このように構成された冷暖房装置５０は、熱媒体を室温より低温に冷却して循環させることで、人体や床、壁、天井等の熱を吸収して冷房として機能し、熱媒体を室温より高温に加熱して循環させることで、人体や床、壁、天井等を直接暖め暖房として機能する。
【００１８】
次に、図２、及び図３を参照してパネルユニット３１について、更に詳しく説明する。パネルユニット３１は、縦長のパネル筒体３７と、パネル筒体３７の内部に収容されたＵ字状配管３９とを備えている。パネル筒体３７は向かい合う一組の壁部３７ａを有する。壁部３７ａ同士の間にはＵ字状配管３９が挿入される空間が形成され、さらに、壁部３７ａ同士は先細形状となるように一体化して略凸レンズ状をなす。パネル筒体３７の外壁面にはパネル筒体３７の長手方向に沿った突条部３７ｂが複数形成されている。
【００１９】
Ｕ字状配管３９は断面円形の管であり、熱媒体が流入する側の直線状の往路部３９ａと、熱媒体が流出する側の直線状の復路部３９ｂと、往路部３９ａと復路部３９ｂとを接続する略Ｕ字状の屈曲部３９ｃとを備えている。屈曲部３９ｃには、パイプ保持具３９ｄが組み付けられている。パイプ保持具３９ｄは、屈曲部３９ｃに係止されて往路部３９ａと復路部３９ｂとの根元を保持し、捩れを抑止して形状の安定性を維持する。その結果、Ｕ字状配管３９をパネル筒体３７内に挿入する際の作業性が向上する。往路部３９ａと復路部３９ｂとは略並行に延在し、往路部３９ａを通過する熱媒体は、屈曲部３９ｃで１８０度反転して復路部３９ｂに至る。
【００２０】
パネル筒体３７の内部には、断面半円弧状で、且つパネル筒体３７の長手方向（軸方向）Ｌに沿って延在する一対のガイド部３７ｃが設けられている。一対のガイド部３７ｃは、それぞれ往路部３９ａまたは復路部３９ｂに摺接してＵ字状配管３９の挿入を案内する。また、パネル筒体３７の内部には、挿入後のＵ字状配管３９を保持する一対のパイプ押え材３８が差し込まれるように設置されている。パイプ押え材３８は、長尺で、且つ断面円弧状の部材であり、ガイド部３７ｃとの間でＵ字状配管３９の往路部３９ａまたは復路部３９ｂを挟み、所定位置にＵ字状配管３９を保持する。
【００２１】
パネル筒体３７、及びパイプ押え材３８は、アルミニウムの押出成形によって形成される。さらに、パネル筒体３７は、押出成形によって形成された筒状部材の両端が切断されて開口が形成されているため、特に、ガイド部３７ｃの端部にはエッジが立ち、鋭く尖った状態にある。
【００２２】
パネル筒体３７の開放された上端及び下端には開口を塞ぐキャップ部４１，４２がねじ止めされている。上端側のキャップ部４１には、Ｕ字状配管３９の往路部３９ａ、及び復路部３９ｂの各上部が挿通する通し孔４１ａが二箇所に形成されている。なお、Ｕ字状配管３９の往路部３９ａ、及び復路部３９ｂの各上部はブリッジ部３３を貫通し、上方に配置されたヘッダ管に接続されている。
【００２３】
図４、及び図５に示されるように、本実施形態に係る管挿入治具１は、例えば上述の輻射パネル装置製造用の部材であり、具体的には、パネル筒体３７にＵ字状配管３９を挿入する際に使用される（図６、及び図７参照）。
【００２４】
管挿入治具１は、木製で矩形板状の治具本体３と、治具本体３をパネル筒体３７の端部３７ｆに設置するための締結部（仮止め部）５とを備えている。パネル筒体３７の端部３７ｆには、キャップ部４１をねじ止めするための受け孔３７ｄが形成されており、締結部５は、例えば、治具本体３において受け孔３７ｄに対応する挿通孔５ａ、及び挿通孔５ａに差し込まれて受け孔３７ｄにねじ込まれるビス５ｂなどからなる。
【００２５】
治具本体３には、Ｕ字状配管３９を受け入れ、パネル筒体３７内の一対のガイド部３７ｃ間に向けてＵ字状配管３９の挿入を案内するガイド孔７が形成されている。ガイド孔７は、パネル筒体３７の内壁面の輪郭に沿った縦長の形状をなし、特に、縦方向（一対のガイド部３７ｃの対向方向）の幅Ｄａが、パネル筒体３７の一対のガイド部３７ｃ間の間隔Ｄｂよりも狭くなるように形成されている。
【００２６】
ガイド孔７は、等間隔で複数形成されている。ガイド孔７同士の間隔は、複数のパネル筒体３７が並設された上述の輻射パネル装置３０における複数のパネル筒体３７の配置に対応している。従って、例えば、複数のパネル筒体３７を、輻射パネル装置３０における実際の配置に対応して等間隔に並べ、その状態でパネル筒体３７の上端に治具本体３を設置することで、各ガイド孔７の位置合わせが完了した状態となり、ガイド孔７それぞれがパネル筒体３７の内部に連通するように重なる。
【００２７】
なお、治具本体３をパネル筒体３７に仮止めするための締結部５は、仮止めした際の安定性も考慮し、治具本体３の四隅に近い四箇所にバランス良く配置されている。具体的には、複数のガイド孔７のうち、両外側である左側のガイド孔７、及び右側のガイド孔７に対して、左側のガイド孔７を挟むように一対の挿通孔５ａが設けられ、同様に右側のガイド孔７を挟むように一対の挿通孔５ａが設けられている。各挿通孔５ａにはビス５ｂが挿通され、そのビス５ｂがパネル筒体３７の受け孔３７ｄにねじ込まれることで治具本体３はパネル筒体３７に締結されて仮止めされる。
【００２８】
次に、図６、及び図７を参照して、管挿入治具１を使用した輻射パネル装置３０の組み立て方（製造方法）について説明する。最初にＵ字状配管３９の形成について説明する。Ｕ字状配管３９を形成する際には、まず、一本の樹脂製のパイプにパイプ保持具３９ｄを係止させ、パイプ保持具３９ｄを中心にパイプを折り曲げるように湾曲させ、両側をパイプ保持具３９ｄに組みつけてＵ字状配管３９を形成する。この状態において、パイプ保持具３９ｄに係止された管路部は、Ｕ字状配管３９の屈曲部３９ｃとなり、屈曲部３９ｃに連絡する一方側の管路部は往路部３９ａとなり、他方側の管路部は復路部３９ｂとなる。
【００２９】
次に、パネル筒体配置工程を実行する。パネル筒体３７は、アルミニウムの押出成形によって形成された筒状体を所定の長さで切断されて形成されている。パネル筒体配置工程では、パネル筒体３７を寝かせ（横置きし）、さらに、パネル筒体３７の内部に設けた一対のガイド部３７ｃが上下となるように立てる。本実施形態では、複数のパネル筒体３７を同様の状態で横方向（水平方向）に沿って等間隔に並べる。複数のパネル筒体３７を等間隔で並べる際には、例えば、複数のパネル筒体３７が寝た状態で、且つ立つように支える専用の仮置き治具（図示省略）などを利用することができる。
【００３０】
次に、管挿入治具１の設置工程を実行する。複数のパネル筒体３７の両方の端部のうち、特に、輻射パネル装置３０の上側となる端部（以下、「上端部」という）３７ｆは揃っており、略同一平面上に等間隔で並んでいる。設置工程では、管挿入治具１の治具本体３を複数のパネル筒体３７の上端部３７ｆに対向した状態で設置する。具体的には、複数のガイド孔７それぞれが、複数のパネル筒体３７それぞれに重なるように治具本体３の裏面をパネル筒体３７の上端部３７ｆに当接させる。
【００３１】
なお、本実施形態では、治具本体３に面する複数のパネル筒体３７のうち、左右の端に位置するパネル筒体３７に対し、締結部５のビス５ｂを締め付けて治具本体３を仮止めしている。この仮止めにより、必然的に複数のガイド孔７それぞれが複数のパネル筒体３７それぞれに位置合わせされた状態となり、その後の作業性が向上する。
【００３２】
次に、配管挿入工程を実行する。配管挿入工程では、設置工程によって所定位置に設置された治具本体３のガイド孔７から、Ｕ字状配管３９を挿入してパネル筒体３７の内部にＵ字状配管３９を収容する。具体的には、パネル筒体３７に仮止めされた治具本体３に対して、Ｕ字状配管３９を屈曲部３９ｃ側からガイド孔７に差し入れ、そのままパネル筒体３７の内部まで挿入する。屈曲部３９ｃがパネル筒体３７の内部の所定位置まで達すると仮止めされた管挿入治具１を外し、ガイド孔７からＵ字状配管３９を引き抜く。
【００３３】
次に、ユニット組み付け工程を実行する。ユニット組み付け工程では、パネル筒体３７の内部に一対のパイプ押え材３８を取り付ける。パイプ押え材３８には、事前に面取り加工が施されている。一対のパイプ押え材３８は、パネル筒体３７の上端部３７ｆの開口からパイプ保持具３９ｄに当接するまで挿入され、ガイド部３７ｃとの間でＵ字状配管３９の往路部３９ａ、または復路部３９ｂを挟むように保持する。パイプ押え材３８を所定位置に設置することで、Ｕ字状配管３９の縒れや捩れを防ぐことができる。
【００３４】
次に、Ｕ字状配管３９の往路部３９ａ、及び復路部３９ｂの端部をキャップ部４１の通し孔４１ａに通し、さらに、ブリッジ部３３に形成された孔３３ａにも通す。次に、キャップ部４１をパネル筒体３７の開口を塞ぐように配置し、ブリッジ部３３とパネル筒体３７の上端部（一方の端部）３７ｆとの間でキャップ部４１を挟み、ねじ３３ｂによってパネル筒体３７をブリッジ部３３にねじ止めする。また、パネル筒体３７の下端部（他方の端部）もキャップ部４２をねじ止めして開口を塞ぎ、パネルユニット３１が完成する。
【００３５】
ユニット組み付け工程と同時に、またはユニット組み付け工程の前に端部パネル体組み付け工程を実行する。端部パネル体組み付け工程では、例えば、端部パネル体３２の上端をブリッジ部３３に直接固定し、左右の端部パネル体３２の下端を床に固定する。なお、ユニット組み付け工程、及び端部パネル体組み付け工程の実行に合わせて、隣接する各パネルユニット３１同士、及びパネルユニット３１と端部パネル体３２とを連結部材３４により互いに連結し、輻射パネル装置３０が完成する。
【００３６】
ユニット組み付け工程や端部パネル体組み付け工程と同時に、また、各工程の後で配管接続工程を実行する。ここで、Ｕ字状配管３９の往路部３９ａ、及び復路部３９ｂの端部はブリッジ部３３を貫通しており、この端部を、継手部材を介してヘッダ管に接続する。輻射パネル装置３０に接続されたヘッダ管は、熱媒体の循環回路を形成すべく熱媒体の循環装置や熱交換装置に接続されており、その結果として冷暖房装置５０が完成する。
【００３７】
以上、本実施の形態に係る管挿入治具１では、治具本体３のガイド孔７は一対のガイド部３７ｃ間の間隔Ｄｂよりも狭い幅Ｄａを有する。従って、Ｕ字状配管３９は、ガイド孔７に挿通後、少なくともパネル筒体３７の上端部３７ｆを通過する際には治具本体３の干渉によって広がりが抑えられる。つまり、Ｕ字状配管３９は、パネル筒体３７のガイド部３７ｃの上端部３７ｆ近傍では、対向する往路部３９ａと復路部３９ｂとの広がり幅は一対のガイド部３７ｃ間の間隔Ｄｂよりも小さくなり、ガイド部３７ｃに当接することがない。その結果、ガイド部３７ｃの上端部３７ｆにおいてエッジが立っていたとしても、そのエッジにＵ字状配管３９が接触することがなくなり、Ｕ字状配管３９を傷つけずにパネル筒体３７の内部に収納でき、Ｕ字状配管３９、さらには輻射パネル装置３０の耐久性の向上に有効である。
【００３８】
また、本実施形態に係る管挿入治具１は締結部５を備えているので、治具本体３をパネル筒体３７に仮止めでき、パネル筒体３７に対して治具本体３を安定させた状態でＵ字状配管３９を挿入できる。さらに、締結部５を備えるので、例えば、治具本体３を手で持ち、ガイド孔７とパネル筒体３７とを位置合わせしながらＵ字状配管３９を挿入する場合に比べて作業負担が低減され、また、ガイド孔７とパネル筒体３７とのズレも無くなって作業性が向上する。
【００３９】
また、治具本体３には複数のガイド孔７が設けられ、複数のガイド孔７は、輻射パネル装置３０の複数のパネル筒体３７に対応する位置に設けられている。したがって、単一の管挿入治具１により、複数のパネル筒体３７に連続的に、または同時にＵ字状配管３９を傷つけることなく挿入することができる。
【００４０】
また、治具本体３は木材により形成されているため、樹脂製のＵ字状配管３９に対して、鉄などの金属に比べて治具本体３が極端に硬いものとはならない。従って、Ｕ字状配管３９を挿入する際に治具本体３に強い押圧力等を付与しながら接触することになっても、Ｕ字状配管３９に傷が入ってしまうことを抑制できる。
【００４１】
また、上記の輻射パネル装置３０の製造方法では、管挿入治具１の治具本体３を、パネル筒体３７の上端部３７ｆに対向した状態で設置する治具設置工程と、治具設置工程によって所定位置に設置された治具本体３のガイド孔７からＵ字状配管３９を挿入してパネル筒体３７の内部にＵ字状配管３９を収容する配管挿入工程と、を備える。この製造方法によれば、パネル筒体３７の上端部３７ｆにおいてガイド部３７ｃにエッジが立っていたとしても、そのエッジにＵ字状配管３９が接触することがなくなり、Ｕ字状配管３９を傷つけずにパネル筒体３７の内部に収納できる。その結果、Ｕ字状配管３９、さらには輻射パネル装置３０の耐久性の向上に有効である。
【００４２】
以上、本発明を実施形態に基づいて具体的に説明したが、本発明は、上述の実施形態のみに限定されない。例えば、上記の実施形態では、管挿入治具の治具本体に複数のガイド孔が形成されていたが、単一のガイド孔のみが形成された態様であってもよく、この態様の場合、例えば、一対の仮止め部をガイド孔を挟む位置にも配置して仮止め時のバランスをとるようにしてもよい。
【産業上の利用可能性】
【００４３】
本発明に係る管挿入治具を利用して製造された輻射パネル装置は、戸建住宅や集合住宅だけでなく、事務所ビルや公共建物にも利用することができる。
【符号の説明】
【００４４】
１…管挿入治具、３…治具本体、５…締結部（仮止め部）、７…ガイド孔、３０…輻射パネル装置、３７…パネル筒体、３７ｃ…ガイド部、３７ｆ…パネル筒体の上端部（一方の端部）、３９…Ｕ字状配管、Ｄａ…ガイド部の幅、Ｄｂ…一対のガイド部の間隔、Ｌ…軸方向。
【図１】
0005675494.tif 000002
【図２】
0005675494.tif 000003
【図３】
0005675494.tif 000004
【図４】
0005675494.tif 000005
【図５】
0005675494.tif 000006
【図６】
0005675494.tif 000007
【図７】
0005675494.tif 000008